(57)【要約】【課題】マルチシステムエアコンと換気システムとを含む空調システムにおいて、季節または周辺環境（温度または汚染度状態）によってマルチシステムエアコンまたは換気システムに運転優先順位を選択的に割り当てることで、最適な空調環境を提供することができる空調システムの運転装置及びその制御方法を提供する。【解決手段】室内の冷暖房のためのエアコンと、室内の換気運転のための換気装置とを含む空調システムの運転方法において、室外温度を感知し、前記室外温度を予め設定された基準温度と比較して季節を判断し、前記判断された季節に基づいて前記エアコンと換気装置に対する運転優先順位を決定することを特徴とする空調システムの運転制御方法を構成する。【選択図】図３
2008122062.tif 000002
【特許請求の範囲】
【請求項１】
室内の冷暖房のためのエアコンと、室内の換気運転のための換気装置とを含む空調システムの運転方法において、
室外温度を感知し、
前記室外温度を予め設定された基準温度と比較して季節を判断し、
前記判断された季節に基づいて前記エアコンと換気装置に対する運転優先順位を決定することを特徴とする空調システムの運転制御方法。
【請求項２】
前記季節を判断するとき、
前記室外温度が第１基準温度以上である場合、前記季節が夏であると判断し、
前記室外温度が第２基準温度以下である場合、前記季節が冬であると判断することを特徴とする請求項１に記載の空調システムの運転制御方法。
【請求項３】
前記室外温度が第１基準温度以上でない場合、または、第２基準温度以下でない場合、前記季節が春または秋であると判断することを特徴とする請求項２に記載の空調システムの運転制御方法。
【請求項４】
前記エアコンと換気装置の運転優先順位を決定するとき、
前記季節が夏または冬であると判断された場合、エアコンに運転優先順位を割り当てることを特徴とする請求項２に記載の空調システムの運転制御方法。
【請求項５】
前記エアコンと換気装置の運転優先順位を決定するとき、
前記季節が春または秋であると判断された場合、換気装置に運転優先順位を割り当てることを特徴とする請求項３に記載の空調システムの運転制御方法。
【請求項６】
前記決定された運転優先順位によって前記エアコンまたは換気装置を選択的に運転することをさらに含む請求項１に記載の空調システムの運転制御方法。
【請求項７】
前記決定された運転優先順位によって前記エアコンが運転される過程で換気運転が必要である場合、前記エアコンの運転を中止し、前記換気装置を運転することを特徴とする請求項６に記載の空調システムの運転制御方法。
【請求項８】
前記エアコンの運転過程で変化する室内温度下降速度に基づいて、前記換気装置の換気段階を調節することを特徴とする請求項７に記載の空調システムの運転制御方法。
【請求項９】
前記換気装置を運転するとき、
前記エアコンの運転過程で室内汚染度を感知し、この感知された室内汚染度が予め設定された限界汚染度に到達した場合、前記エアコンの運転を中止し、前記換気装置を運転することを特徴とする請求項７に記載の空調システムの運転制御方法。
【請求項１０】
前記決定された運転優先順位によって前記換気装置が運転される過程で冷暖房運転が必要である場合、前記換気装置の運転を中止し、前記エアコンを運転することを特徴とする請求項６に記載の空調システムの運転制御方法。
【請求項１１】
前記エアコンを運転するとき、
前記換気装置の運転過程で室内温度を感知し、この感知された室内温度が予め設定された限界温度に到達した場合、前記換気装置の運転を中止し、前記エアコンを運転することを特徴とする請求項１０に記載の空調システムの運転制御方法。
【請求項１２】
使用者の命令によって前記エアコンと換気装置の優先順位制御モードを選択し、
前記優先順位制御モードによって前記エアコンと換気装置を運転することをさらに含む請求項１に記載の空調システムの運転制御方法。
【請求項１３】
室内の冷暖房のためのエアコンと、室内の換気運転のための換気装置とを含む空調システムにおいて、
室外温度を感知する温度感知部と、
前記室外温度を予め設定された基準温度と比較することで季節を判断し、前記判断された季節に基づいて前記エアコンと換気装置に対する運転優先順位を決定する制御部と、を含む空調システムの運転装置。
【請求項１４】
前記制御部は、前記室外温度が第１基準温度以上である場合、前記季節が夏であると判断し、前記エアコンに運転優先順位を割り当てて、エアコンが冷房運転を行うように制御することを特徴とする請求項１３に記載の空調システムの運転装置。
【請求項１５】
前記制御部は、前記室外温度が第２基準温度以下である場合、前記季節が冬であると判断し、前記エアコンに運転優先順位を割り当てて、エアコンが暖房運転を行うように制御することを特徴とする請求項１３に記載の空調システムの運転装置。
【請求項１６】
前記制御部は、前記室外温度が第１基準温度以上でない場合、前記季節が春または秋であると判断し、前記換気システムに運転優先順位を割り当てて、換気装置が換気運転を行うように制御することを特徴とする請求項１４に記載の空調システムの運転装置。
【請求項１７】
前記制御部は、前記室外温度が第２基準温度以下でない場合、前記季節が春または秋であると判断し、前記換気システムに運転優先順位を割り当てて、換気装置が換気運転を行うように制御することを特徴とする請求項１５に記載の空調システムの運転装置。
【請求項１８】
前記制御部は、決定された運転優先順位によって前記エアコンが運転される過程で換気運転が必要である場合、前記エアコンの運転を中止し、前記換気装置の運転を開始することを特徴とする請求項１４に記載の空調システムの運転装置。
【請求項１９】
前記制御部は、決定された運転優先順位によって前記エアコンが運転される過程で換気運転が必要である場合、前記エアコンの運転を中止し、前記換気装置の運転を開始することを特徴とする請求項１５に記載の空調システムの運転装置。
【請求項２０】
前記制御部は、決定された運転優先順位によって前記換気装置が運転される過程で冷暖房運転が必要である場合、前記換気装置の運転を中止し、前記エアコンの運転を開始することを特徴とする請求項１６に記載の空調システムの運転装置。
【請求項２１】
使用者の命令によって前記エアコンと換気装置の優先順位制御モードを選択する入力部をさらに含み、
前記制御部は、前記選択された優先順位制御モードによって前記エアコンと換気装置を運転することを特徴とする請求項１３に記載の空調システムの運転装置。
【請求項２２】
エアコンと換気装置を含む空調システムを制御する装置において、
室外温度を感知する第１センサと、
ユニットルームの汚染物質を感知する第２センサと、
前記室外温度によってエアコン及び換気装置のうち一つの優先順位を決定し、前記優先順位及び前記汚染物質によって前記エアコンと換気装置を選択的に制御する制御部と、を含む空調システムの運転装置。
【発明の詳細な説明】
【技術分野】
【０００１】
本発明は、室内の冷暖房のためのエアコンと、室内空間の換気のための換気システムとを含む空調システムに関するもので、より詳細には、周辺環境と季節によってエアコンまたは換気システムに運転優先順位を割り当てて、エアコンと換気システムを選択的に運転することで、最適の空調環境を提供する空調システムの運転装置及びその制御方法に関するものである。
【背景技術】
【０００２】
一般的に、エアコンは、室内の冷房または暖房のために用いられる装置である。すなわち、エアコンは、室内機と室外機との間に液体状態の冷媒を循環させ、冷媒が気化時に周囲の熱を吸収し、液化時に熱を放出する特性によって冷房または暖房作用を行う。
【０００３】
通常のエアコンは、一つの室外機と一つの室内機を設置することが一般的である。しかし、最近は、少なくとも一つの室外機と、多様な形態及び容量を有する複数の室内機とを設置することで、住居・商業の複合アパートや高層ビルなどの多数個の分離空間を有する大型建物に対する冷房または暖房運転を行うマルチシステムエアコンの使用が増加しつつある。
【０００４】
上記のようなマルチシステムエアコンは、室外機と複数の室内機との間に通信線を含むが、この通信線を通して所定の通信プロトコルにしたがって室外機と室内機との間の通信が行われ、複数の室内機は、設定温度と室内温度に基づいて運転される。
【０００５】
最近は、上記のようなマルチシステムエアコンが設置された室内空間を換気するために、複数の換気装置を有する換気システムをマルチシステムエアコンと一緒に設置している。換気システムは、給排気装置を制御することで、室内空間の空気を室外に排出させるとともに、室外の空気を室内に流入させる。
【０００６】
上記のように、同一空間内にマルチシステムエアコンと換気システムを全て設置することで、最適の空調環境を提供しているが、マルチシステムエアコンと換気システムを同時に運転する場合、換気システムの運転によってマルチシステムエアコンの冷暖房効率が急激に低下するという問題がある。さらに、かかる問題点を解決するために使用者が換気システムの運転を停止させると、室内空気が不潔になり、内部空間の汚染をもたらす虞がある。
【０００７】
上記のような問題点を解決するためには、使用者がマルチシステムエアコンと換気システムの運転を直接決定して個別的に調節すべきであるが、この場合、使用上の不便さをもたらし、マルチシステムエアコンと換気システムの運転条件が固定的に設定されると、刻一刻と変わる周辺環境条件に適切に対応できないという問題がある。
【０００８】
また、換気システムが四季全てに用いられる反面、マルチシステムエアコンは、冷房運転が夏に、暖房運転が冬に用いられる。そのため、益々複雑で多様化される使用者の要求を満足させるためには、マルチシステムエアコンと換気システムとの適切な結合が必要となるが、上記のようなマルチシステムエアコンと換気システムの個別的な制御方式では、最適な空調環境を提供することが難しい。
【発明の開示】
【発明が解決しようとする課題】
【０００９】
本発明は、上記のような従来の問題点を解決するためになされたもので、その目的は、マルチシステムエアコンと換気システムとを含む空調システムにおいて、季節または周辺環境（温度または汚染度状態）によってマルチシステムエアコンまたは換気システムに運転優先順位を選択的に割り当てることで、最適な空調環境を提供することができる空調システムの運転装置及びその制御方法を提供することにある。
【００１０】
また、本発明の他の目的は、使用者の選択によってマルチシステムエアコンまたは換気システムに運転優先順位を割り当てることで、使用者の要求を満足させることができる空調システムの運転装置及びその制御方法を提供することにある。
【課題を解決するための手段】
【００１１】
上記の目的を達成するために、本発明は、室内の冷暖房のためのエアコンと、室内の換気運転のための換気装置とを含む空調システムの運転方法において、室外温度を感知し、前記室外温度を予め設定された基準温度と比較して季節を判断し、前記判断された季節に基づいて前記エアコンと換気装置に対する運転優先順位を決定することを特徴とする。
【００１２】
また、前記季節を判断するとき、前記室外温度が第１基準温度以上である場合、前記季節が夏であると判断し、前記室外温度が第２基準温度以下である場合、前記季節が冬であると判断することを特徴とする。
【００１３】
また、前記室外温度が第１基準温度以上でない場合、または、第２基準温度以下でない場合、前記季節が春または秋であると判断することを特徴とする。
【００１４】
また、前記エアコンと換気装置の運転優先順位を決定するとき、前記季節が夏または冬であると判断された場合、エアコンに運転優先順位を割り当てることを特徴とする。
【００１５】
また、前記エアコンと換気装置の運転優先順位を決定するとき、前記季節が春または秋であると判断された場合、換気装置に運転優先順位を割り当てることを特徴とする。
【００１６】
本発明は、前記決定された運転優先順位によって前記エアコンまたは換気装置を選択的に運転することをさらに含む。
【００１７】
また、前記決定された運転優先順位によって前記エアコンが運転される過程で換気運転が必要である場合、前記エアコンの運転を中止し、前記換気装置を運転することを特徴とする。
【００１８】
また、前記エアコンの運転過程で変化する室内温度下降速度に基づいて、前記換気装置の換気段階を調節することを特徴とする。
【００１９】
また、前記換気装置を運転するとき、前記エアコンの運転過程で室内汚染度を感知し、この感知された室内汚染度が予め設定された限界汚染度に到達した場合、前記エアコンの運転を中止し、前記換気装置を運転することを特徴とする。
【００２０】
また、前記決定された運転優先順位によって前記換気装置が運転される過程で冷暖房運転が必要である場合、前記換気装置の運転を中止し、前記エアコンを運転することを特徴とする。
【００２１】
また、前記エアコンを運転するとき、前記換気装置の運転過程で室内温度を感知し、この感知された室内温度が予め設定された限界温度に到達した場合、前記換気装置の運転を中止し、前記エアコンを運転することを特徴とする。
【００２２】
また、本発明は、使用者の命令によって前記エアコンと換気装置の優先順位制御モードを選択し、前記優先順位制御モードによって前記エアコンと換気装置を運転することをさらに含む。
【００２３】
そして、本発明は、室内の冷暖房のためのエアコンと、室内の換気運転のための換気装置とを含む空調システムにおいて、室外温度を感知する温度感知部と、前記室外温度を予め設定された基準温度と比較することで季節を判断し、前記判断された季節に基づいて前記エアコンと換気装置に対する運転優先順位を決定する制御部とを含む。
【００２４】
また、前記制御部は、前記室外温度が第１基準温度以上である場合、前記季節が夏であると判断し、前記エアコンに運転優先順位を割り当てて、エアコンが冷房運転を行うように制御することを特徴とする。
【００２５】
また、前記制御部は、前記室外温度が第２基準温度以下である場合、前記季節が冬であると判断し、前記エアコンに運転優先順位を割り当てて、エアコンが暖房運転を行うように制御することを特徴とする。
【００２６】
また、前記制御部は、前記室外温度が第１基準温度以上でないか、第２基準温度以下でない場合、前記季節が春または秋であると判断し、前記換気システムに運転優先順位を割り当てて、換気装置が換気運転を行うように制御することを特徴とする。
【００２７】
また、前記制御部は、決定された運転優先順位によって前記エアコンが運転される過程で換気運転が必要である場合、前記エアコンの運転を中止し、前記換気装置の運転を開始することを特徴とする。
【００２８】
また、前記制御部は、決定された運転優先順位によって前記換気装置が運転される過程で冷暖房運転が必要である場合、前記換気装置の運転を中止し、前記エアコンの運転を開始することを特徴とする。
【００２９】
また、本発明は、使用者の命令によって前記エアコンと換気装置の優先順位制御モードを選択する入力部をさらに含み、前記制御部は、前記選択された優先順位制御モードによって前記エアコンと換気装置を運転することを特徴とする。
【００３０】
さらに、上記の目的を達成するために、本発明は、エアコンと換気装置を含む空調システムを制御する装置において、室外温度を感知する第１センサと、ユニットルームの汚染物質を感知する第２センサと、前記室外温度によってエアコン及び換気装置のうち一つの優先順位を決定し、前記優先順位及び前記汚染物質によって前記エアコンと換気装置を選択的に制御する制御部とを含む。
【発明の効果】
【００３１】
本発明に係る空調システムの運転装置及びその制御方法によると、エアコンと換気システムとが結合された空調システムにおいて、季節または周辺環境（温度または汚染度状態）によって優先順位の順にエアコン及び換気システムを選択的に制御することで、エネルギー効率を極大化させることができる。さらに、刻一刻と変わる周辺環境に適切に対応しながら、使用者に最適の空調環境（優れた空気品質及び温度条件）を提供することができるという効果がある。
【００３２】
さらに、本発明は、使用者が優先順位によってエアコンまたは換気システムの制御を選択することで、益々複雑で多様化される使用者の欲求を満足させることができるという効果がある。
【発明を実施するための最良の形態】
【００３３】
以下、本発明の一実施例を添付の図面に基づいて詳細に説明する。
図１は、本発明の一実施例に係るマルチシステムエアコン（以下、エアコンという。）と換気システムとが結合された空調システムを示すブロック図である。前記空調システムは、少なくとも一つの室外機１０に複数の室内機２０が連結されたエアコンと、複数の換気装置３０を有する換気システムとの結合形態である。また、前記空調システムは、前記室外機１０と複数の室内機２０との間、または前記複数の室内機２０と複数の換気装置３０との間に通信線４０を含み、この通信線４０を通して、室外機１０と複数の室内機２０との間、または複数の室内機２０と複数の換気装置３０との間の通信が可能になる。
【００３４】
そして、複数の室内機２０と複数の換気装置３０は、一つの単位空間または位置によって複数のグループ１，２，３，‥‥，ｎに分けられる。例えば、グループ１は、室内機１―１，１―２，１―３，‥‥，１−ｎと換気装置１―１，１―２，１―３，‥‥，１−ｎを含む。
【００３５】
図２は、本発明の一実施例に係るエアコン５０と換気システム６０とが結合された空調システムの制御構成を示すブロック図である。
【００３６】
図２に示すように、前記空調システムは、運転優先順位によってエアコン５０と換気システム６０を制御する。すなわち、エアコン５０は、室内の冷暖房のために室内温度を制御し、換気システム６０は、室内空間の換気を制御する。さらに、前記空調システムは、前記エアコン５０と換気システム６０との間に通信線４０を含み、この通信線４０を通してエアコン５０と換気システム６０との間の通信が可能になる。
【００３７】
図１及び図２に示すように、前記エアコン５０は、一つの室外機１０に複数の室内機２０を連結した構造を有する。前記エアコン５０は、運転モード（優先順位によるエアコンと換気システムの制御）、目標温度Ｔｓ（冷暖房運転での室内空間の目標温度値）、限界汚染度Ｅｍ（冷暖房運転において室内空間でのＣｏ２などの汚染物質の限界濃度）が入力される入力モジュールとしての入力部５１と、室内空間の現在の空気温度を感知する室内温度センサ５２と、室外空気温度を感知する室外温度センサ５３と、エアコン５０の全体的な運転を制御するエアコン制御部５４と、現在の温度と目標温度によってオン・オフになる圧縮機５５と、前記エアコン制御部５４の制御信号によって運転モードに合わせてエアコン５０を運転させる負荷装置５６（室外ファン、室内ファン、バルブなど）とを含み、このエアコン５０は、その制御方法を除けば、一般的なエアコンと同一の構造及び要素を有する。
【００３８】
前記入力部５１に運転モードを入力するとき、自動優先順位制御モードまたは手動優先順位モードが、エアコン５０と換気システム６０の運転優先順位を制御するために選択される。手動優先順位制御モードが選択された場合、使用者は、エアコン５０と換気システム６０に対する運転優先順位を選択する。
【００３９】
前記エアコン制御部５４は、室内温度Ｔｒと目標温度Ｔｓとの比較結果によって圧縮機５５をオン・オフにするための圧縮機制御信号を出力するマイコンを含む。前記入力部５１を通してエアコン５０と換気システム６０の優先順位制御運転が選択されると、前記エアコン制御部５４は、室外温度Ｔｏを予め設定された基準温度Ｔ１，Ｔ２と比較して現在の季節を判断した後、判断された季節に合わせて冷暖房運転を行う。ここで、現在の季節は、春、夏、秋及び冬のうち一つであるが、本発明はこれに限定されるものでない。例えば、現在の季節は、春と夏との間の期間、夏と秋との間の期間、秋と冬との間の期間、及び／または冬と春との間の期間でもある。
【００４０】
前記換気システム６０は、前記エアコン５０と通信可能な複数の換気装置３０を含む。前記換気システム６０は、運転モード（優先順位によるエアコンまたは換気システムの制御運転）、目標汚染度Ｅｓ（冷暖房運転における室内空間でのＣｏ２の目標濃度）、限界温度Ｔｍ（冷暖房運転において室内空間の限界温度値）が入力される入力モジュールとしての入力部６１と、室内空間における現在の汚染物質の汚染度（Ｃｏ２の濃度）を感知する汚染度センサ６２と、換気システム６０の全体的な運転を制御する換気制御部６３と、室外空気を内部空間に強制吸入する給気ファン６４と、室内空気を室外に強制排出する排気ファン６５とを含み、この換気システム６０は、その制御方法を除けば、一般的な換気システムと同一の構造及び要素を有する。
【００４１】
前記入力部６１に運転モードを入力するとき、自動優先順位制御モードまたは手動優先順位制御モードが、エアコン５０と換気システム６０の運転優先順位を制御するために選択される。手動優先順位制御モードが選択された場合、使用者は、エアコン５０と換気システム６０に対する運転優先順位を選択する。
【００４２】
また、使用者がエアコン５０と換気システム６０の優先順位制御モードを選択していない場合、優先順位制御モードが自動優先順位モードとして自動的にデフォルトされる。さらに、エアコン５０と換気システム６０が優先順位制御モードで運転されるとき、限界汚染度Ｅｍ（冷暖房運転における室内空間でのＣｏ２の限界濃度）と限界温度Ｔｍ（換気運転での室内空間の限界温度値）を入力部６１に入力しない場合も、自動的にデフォルト値が設定される。
【００４３】
一方、本発明の空調システムは、エアコン制御部５４と換気制御部６３を別途に構成したものを例に挙げて説明したが、システムの仕様または設計条件によってエアコン制御部５４と換気制御部６３とを一体に構成する有無線制御器を用いることもでき、エアコン５０の入力部５１と換気システム６０の入力部６１とを単一の入力モジュールとして一体に構成することもできる。
【００４４】
以下、上記のように構成された空調システムの運転装置及びその制御方法の動作過程及び作用効果を説明する。
【００４５】
図３は、本発明の一実施例に係る空調システムにおいて、運転優先順位によってエアコンと換気システムを制御する方法を示すフローチャートである。
【００４６】
本発明の動作を説明するための初期条件として、エアコン５０と換気システム６０とが結合された構造の空調システムにおいて、一つの空間内に設置された複数の室内機２０（例えば、室内機１―１，１―２，１―３、‥‥）と複数の換気装置３０（例えば、換気装置１―１，１―２，１―３、‥‥）は、同一グループ（グループ１、グループ２、‥‥、グループＮ）として設定される。以下、任意のグループのうち何れか一つのグループにおける優先順位による空調システムの制御方法を例に挙げて説明する。
【００４７】
まず、使用者は、エアコン５０の入力部５１または換気システム６０の入力部６１を通して自動優先順位制御モードまたは手動優先順位制御モードを選択する（Ｓ１００）。
【００４８】
したがって、エアコン制御部５４と換気制御部６３は、選択された優先順位制御モードが手動優先順位制御モードであるかどうかを判断し（Ｓ２００）、判断結果、手動優先順位制御モードでない場合、選択された優先順位制御モードが自動優先順位制御モード（デフォルトモードが自動優先順位制御モードである。）であると判断し、室外温度センサ５３を通して室外温度Ｔｏを感知する（Ｓ３００）。
【００４９】
感知された室外温度Ｔｏを予め設定された第１基準温度Ｔ１（季節を判断するための室外温度、約３０℃）と比較し、室外温度Ｔｏが第１基準温度Ｔ１以上である場合、現在の季節が夏であると判断し、エアコンに運転優先順位を割り当てて冷房運転を進行する（Ｓ６００）。
【００５０】
一方、前記比較結果、室外温度Ｔｏが第１基準温度Ｔ１以上でない場合、前記室外温度Ｔｏを予め設定された第２基準温度Ｔ２（季節を判断するための室外温度、約０℃）と比較し、室外温度Ｔｏが第２基準温度Ｔ２以下である場合、現在の季節が冬であると判断し、エアコンに運転優先順位を割り当てて暖房運転を進行する（Ｓ６００）。
【００５１】
その反面、室外温度Ｔｏが第１基準温度Ｔ１以上でないか、第２基準温度Ｔ２以下でない場合、現在の季節が春や秋であると判断し、換気システムに運転優先順位を割り当てて換気運転を進行する（Ｓ８００）。
【００５２】
このとき、第１及び第２基準温度Ｔ１，Ｔ２は、使用者やエアコンシステムの製造業者によって予め設定されるもので、第１及び第２基準温度Ｔ１，Ｔ２が予め設定されていない場合はデフォルト値として設定される。
【００５３】
優先順位制御モードが自動優先順位制御モード（またはデフォルトモード）である場合は、空調システムの周辺環境を考慮した上で、季節によってエアコンまたは換気システムの運転優先順位を割り当てる必要がある。通常、室外温度Ｔｏが３０℃以上、０℃以下である場合は夏または冬である確率が高いので、エアコンに運転優先順位を割り当てて冷暖房運転を進行し、その他の温度条件の場合は春や秋である確率が高いので、換気システムに運転優先順位を割り当てて換気運転を進行する。
【００５４】
一方、前記Ｓ２００で選択された優先順位制御モードが手動優先順位制御モードである場合、制御部は、使用者がエアコンに運転優先順位を割当てたかどうかを判断し（Ｓ７００）、判断結果、使用者がエアコンに運転優先順位を割り当てた場合、前記Ｓ６００でエアコン制御モードを開始し、使用者がエアコンに運転優先順位を割り当てていない場合、前記Ｓ８００で換気システム制御モードを開始する。
【００５５】
以下、選択された優先順位制御モードまたは季節によってエアコンに運転優先順位を割り当てて冷暖房運転を進行する過程（Ｓ６００）を、図４に基づいて説明する。
【００５６】
図４は、本発明の一実施例に係る空調システムにおけるエアコンの制御方法を示すフローチャートである。
【００５７】
図３及び図４に示すように、エアコン制御モードを開始すると、所定グループ内に属する室内機２０の台数と換気装置３０の台数によって、運転可能な換気段階の数を下記の式１を通して自動的に算出した後で決定する。
【００５８】
運転可能な換気段階の数＝（換気装置の風量レベル×Ｎ）＋１＋（Ｍ−１）…（式１）
【００５９】
ここで、換気装置３０の風量レベルは、三つのレベル"強、弱、微"で、Ｎは、換気装置３０の台数で、Ｍは、室内機２０の台数である。
【００６０】
例えば、２台の室内機２０に３台の換気装置３０が一つのグループで連結されている場合、運転可能な換気段階は、図５に示すように、０〜１０段階として自動的に算出され、換気段階は１０段階で開始される。
【００６１】
その後、使用者がエアコン５０の入力部５１を通して目標温度Ｔｓ（冷暖房運転での室内空間の目標温度）と限界汚染度Ｅｍ（冷暖房運転における室内空間でのＣＯ２の限界濃度）を入力した後（Ｓ６０４）、エアコン制御モードを開始する（Ｓ６０６）。
【００６２】
エアコン制御モードでのエアコンの運転は、通常的な冷暖房運転である。通常的な冷暖房運転は、公知の技術であるので、それに対する詳細な説明を省略する。
【００６３】
エアコン制御モードが開始されると、エアコン５０の室内温度センサ５２を通して室内温度Ｔｒを感知し、その室内温度Ｔｒをエアコン制御部５４に入力する（Ｓ６０８）。
【００６４】
したがって、エアコン制御部５４は、所定時間の間の室内温度下降速度ＶＴを算出し（Ｓ６１０）、算出された室内温度下降速度ＶＴを予め設定された基準温度下降速度ＶＴＳで割った後、速度常数値Ｋを計算する（Ｓ６１２）。
【００６５】
計算された速度常数値Ｋを予め設定された基準常数値Ｋｓと比較し、前記速度常数値Ｋが基準常数値Ｋｓより小さい場合、室内温度下降速度ＶＴが遅い状態であるので、前記速度常数値Ｋが基準常数値Ｋｓに到達するときまで換気段階を１段階ずつ下げる（Ｓ６１６）。
【００６６】
ここで、季節または室外温度によって、換気段階は、基準常数値Ｋｓに対する速度常数値Ｋの変化に応じて変化しなく、例えば、速度常数値Ｋが基準常数値Ｋｓに到達するときまで変化しない。すなわち、換気段階は、速度常数値Ｋ及び複数の季節から決定された季節によって変化または変化しない。
【００６７】
上記のようなエアコン制御モードの間に、汚染度センサ６２は、エアコン６０が運転される室内空間の現在の汚染度Ｅｒを感知し、この汚染度Ｅｒを換気制御部６３に入力し（Ｓ６１８）、換気制御部６３は、感知された室内汚染度Ｅｒを予め設定された限界汚染度Ｅｍと比較する（Ｓ６２０）。
【００６８】
前記比較結果、室内汚染度Ｅｒが限界汚染度Ｅｍ以上でない場合、制御部は、室内空気が濁った状態でないと判断し、室内空間の現在の空気温度Ｔｒが目標温度Ｔｓに到達したかどうかを判断し（Ｓ６２２）、室内温度Ｔｒが目標温度Ｔｓに到達していない場合、前記Ｓ６０８に戻ってエアコン制御モードを進行する。
【００６９】
前記判断結果、室内温度Ｔｒが目標温度Ｔｓに到達した場合、エアコン制御モードを中止し、冷暖房運転を終了する（Ｓ６２４）。
【００７０】
また、前記Ｓ６２０で室内汚染度Ｅｒが限界汚染度Ｅｍ以上である場合も、エアコン制御モードを中止し、冷暖房運転を終了する（Ｓ６２４）。
【００７１】
エアコン制御モードが中止されると、制御部は、優先順位制御モードが自動優先順位制御モードであるかどうかを判断し（Ｓ６２６）、優先順位制御モードが自動優先順位制御モードである場合は、換気システム制御モードを開始するために前記Ｓ８００に進行し、優先順位制御モードが自動優先順位制御モードでない場合は、使用者が手動でエアコン制御モードを選択した状態であるので、制御モードが換気システム制御モードの代わりに現在のエアコン制御モードに固定され、前記Ｓ６０８に進行する。
【００７２】
一方、前記速度常数値Ｋが基準常数値Ｋｓより小さくない場合、室内温度下降速度ＶＴが正常状態であるので、換気段階を低いレベルに変化せずに、前記Ｓ６１８で室内汚染度Ｅｒを感知する。
【００７３】
ここで、季節または室外温度によって、換気段階は、基準常数値Ｋｓに対する速度常数値Ｋの変化に応じて変化し、例えば、速度常数値Ｋが基準常数値Ｋｓ以上であるときに変化する。すなわち、換気段階は、速度常数値Ｋ及び複数の季節から決定された季節によって変化または変化しない。
【００７４】
以下、決定された優先順位制御モードまたは季節によって換気システム制御モードで行う換気運転（Ｓ８００）に対し、図６に基づいて説明する。
【００７５】
図６は、本発明に係る空調システムにおいて、運転優先順位による換気システムの制御方法を示すフローチャートである。
【００７６】
図１〜図６に示すように、換気システムに運転優先順位が割り当てられると、グループ内の室内機２０の台数と換気装置３０の台数によって、上記の式１を通して運転可能な換気段階を自動的に算出した後で決定するが（Ｓ８０２）、換気段階の算出方式は、前記エアコン制御モードの場合と同一である。
【００７７】
例えば、２台の室内機２０に３台の換気装置３０が一つのグループで連結されている場合、運転可能な換気段階は、図５に示すように、０〜１０段階に自動的に算出され、換気段階は１段階で開始される。
【００７８】
一方、前記換気段階は、エアコン優先順位制御モードを進行した後、換気システム制御モードを開始した場合、エアコン制御モードで調節された換気段階として決定されるので、前記換気段階の決定段階（Ｓ８０２）を省略することもできる。
【００７９】
その後、使用者が目標汚染度Ｅｓ（換気運転における室内空間でのＣｏ２の目標濃度）と限界温度Ｔｍ（換気運転での室内空間の限界温度値）を入力した後（Ｓ８０４）、換気システム制御モードを開始する（Ｓ８０６）。
【００８０】
換気システム制御モードでの換気システムの運転は、通常的な換気運転である。通常的な換気運転は、公知の技術であるので、それに対する詳細な説明を省略する。
【００８１】
換気システム制御モードが開始されると、換気システム６０の汚染度センサ６２は、室内空間の現在の汚染度Ｅｒを感知し、この汚染度Ｅｒを換気制御部６３に入力する（Ｓ８０８）。
【００８２】
したがって、換気制御部６３は、感知された室内汚染度Ｅｒを目標汚染度Ｅｓと比較し（Ｓ８１０）、前記室内汚染度Ｅｒが目標汚染度Ｅｓに到達した場合、換気システム制御モードを中止し、換気運転を終了する（Ｓ８１８）。
【００８３】
前記比較結果、室内汚染度Ｅｒが目標汚染度Ｅｓより大きい場合、換気制御部６３は、室内空気が濁った状態であると判断し、前記室内汚染度Ｅｒが目標汚染度Ｅｓに到達するときまで換気段階を現在の段階から１段階ずつ上げる（Ｓ８１２）。
【００８４】
このような換気システム制御モードの間に、室内温度センサ５２は、換気運転が進行される室内空間の現在の空気温度Ｔｒを感知し、この空気温度Ｔｒをエアコン制御部５４に入力し（Ｓ８１４）、エアコン制御部５４は、感知された室内温度Ｔｒを予め設定された限界温度Ｔｍと比較する（Ｓ８１６）。
【００８５】
前記比較結果、室内温度Ｔｒが限界温度Ｔｍ以上でない場合、換気制御部６３は、室内空気の冷暖房が必要な状態でないと判断し、Ｓ８０８に戻って換気システム制御モードを継続的に進行し、室内温度Ｔｒが限界温度Ｔｍ以上である場合、換気システム制御モードを中止し、換気運転を終了する（Ｓ８１８）。
【００８６】
換気システム制御モードが中止されると、優先順位制御モードが自動優先順位制御モードであるかどうかを判断し（Ｓ８２０）、優先順位制御モードが自動優先順位制御モードである場合は、エアコンに運転優先順位を割り当てるために前記Ｓ６００に進行し、優先順位制御モードが自動優先順位制御モードでない場合は、使用者が手動で換気システムに運転優先順位を割り当てた状態であるので、エアコンに運転優先順位が伝えられず、換気システムに運転優先順位が割り当てられた状態で前記Ｓ８０８に進行する。
【００８７】
本発明は、コンピュータ可読媒体上のコンピュータ可読コードとして実現される。コンピュータ可読媒体は、コンピュータ可読記録媒体及びコンピュータ可読伝送媒体を含むことができる。コンピュータ可読記録媒体は、コンピュータシステムによって読めるデータを保存できるデータ保存装置であり、このコンピュータ可読記録媒体の例は、ＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）、ＣＤ―ＲＯＭｓ、磁気テープ、フロッピー（登録商標）ディスク、光データ保存装置を含む。さらに、コンピュータ可読記録媒体は、ネットワーク結合されたコンピュータシステムを通して分散されるので、コンピュータ可読コードが分散方法で保存または実行される。コンピュータ可読伝送媒体は、搬送波または信号（例えば、インターネットを通した有無線データ伝送）を伝送することができる。さらに、本発明を達成するための機能的なプログラム、コード及びコードセグメントは、本発明の技術分野で熟練したプログラマーによって容易に解釈される。
【図面の簡単な説明】
【００８８】
【図１】本発明の一実施例に係るマルチシステムエアコンと換気システムとが結合された空調システムを示すブロック図である。
【図２】本発明の一実施例に係るマルチシステムエアコンと換気システムとが結合された空調システムの制御構成を示すブロック図である。
【図３】本発明の一実施例に係る空調システムにおいて、運転優先順位にしたがってマルチシステムエアコンと換気システムを制御する方法を示すフローチャートである。
【図４】図３に示した空調システムにおいて、運転優先順位にしたがってマルチシステムエアコンを制御する方法を示すフローチャートである。
【図５】図１〜図４に示した空調システムの制御方法における換気段階の一例を示す表を示す図である。
【図６】図３に示した空調システムにおいて、運転優先順位にしたがって換気システムを制御する方法を示すフローチャートである。
【符号の説明】
【００８９】
１０  室外機
２０  室内機
３０  換気装置
４０  通信線
５０  マルチシステムエアコン
５２  室内温度センサ
５３  室外温度センサ
５４  エアコン制御部
６０  換気システム
６２  汚染度センサ
６３  換気制御部
【図１】
2008122062.tif 000003
【図２】
2008122062.tif 000004
【図３】
2008122062.tif 000005
【図４】
2008122062.tif 000006
【図５】
2008122062.tif 000007
【図６】
2008122062.tif 000008